(57)【要約】  本発明は、環境照明システム（１００）、表示装置（２００）及ぴ照明変化を生成する方法に関する。環境照明システムは、ビデオ画像（Ｉ１、Ｉ２）から導出された環境光信号Ａｖ，Ａｔ（Ａｖ１，１，．．．Ａｖ４，５），Ｐ，（Ｐ１，１，．．．Ｐ４，５）を用いて照明変化を生成し、環境照明システムは、ビデオ画像から藻境光信号を導出する分析器を有し、環境光信号を用いて光源（Ｌ１，Ｌ２，．．．，Ｌ８）を駆動する制御器（１０）を有する。有する。照明変化は、ビデオ画像を表示していない間に、制御器により表示される。本発明に従った環境照明システムの効果は、例えば、予め示されたビデオ画像を介して、しかしながら、ビデオ画像が、例えば、同じ部屋内に位置付けられている表示装置において示されていないときに、環境照明システムにより生成された環境を用いることにより環境照明システムの使用可能性を改善することが可能である。
2011522388.tif 000002
【特許請求の範囲】
【請求項１】
照明変化を表示する、光源を駆動する環境照明システムであって、前記照明変化は、ビデオ画像から導出された環境光信号を用いて生成され、前記環境光信号は、前記ビデオ画像の所定領域からの色及び／又は強度のピーク値又は平均値を有する、環境照明システムであり：
前記ビデオ画像から前記環境光信号を導出する分析器；及び
前記ビデオ画像を表示していない間に、前記照明変化を表示するように前記環境光信号を用いて前記光源を駆動する制御器；
を有する環境照明システム。
【請求項２】
請求項１に記載の環境照明システムであって、前記環境照明システムは光源からビデオ画像を受信する、環境照明システム。
【請求項３】
請求項１に記載の環境照明システムであって、前記環境照明システムは：
前記ビデオ画像から記憶手段に導出される前記環境光信号を記録するレコーダ；
を更に有する、環境照明システム。
【請求項４】
請求項１乃至３の何れか一項に記載の環境照明システムであって、前記分析器は、所定の時間間隔で収集された前記ビデオ画像から前記所定領域の一連のピーク値又は一速の平均値を導出する、環境照明システム。
【請求項５】
請求項４に記載の環境照明システムであって、前記分析器は、環境光信号を導出するように時間経過につれて前記導出されるピーク値を平均化する、又は、前記分析器は、環境光信号を導出するように時間経過につれて前記導出される平均値を平均化する、環境照明システム。
【請求項６】
請求項４又は５に記載の環境照明システムであって、前記制御器は、前記一連のピーク値において一のピーク値から次のピーク値への若しくは前記一連の平均値における一の平均値から次の平均値へのスムーズな遷移を生成するために、前記一連のピーク値において前記ピーク値間に又は前記一連の平均値において前記平均値間に補間値を生成する、環境照明システム。
【請求項７】
請求項４乃至６の何れか一項に記載の環境照明システムであって、前記制御器は、前記照明変化の表示のために必要な時間を増減するように前記環境光のタイムスケールを適合させる、環境照明システム。
【請求項８】
請求項１乃至７の何れか一項に記載の環境照明システムであって、前記分析器は、一連のビデオ信号から環境光信号を導出する、環境照明システム。
【請求項９】
請求項１乃至８の何れか一項に記載の環境照明システムであって、前記分析器は、ビデオ画像において前記所定領域を移動させることにより前記環境光信号を導出する、環境照明システム。
【請求項１０】
請求項９に記裁の環境照明システムであって、前記分析器は：
前記ビデオ画像内のユーザにより規定される経路に沿って；
前記ビデオ画像内の所定経路に沿って；
前記ビデオ画像内のランダム経路に沿って；又は
前記ビデオ画像の所定の副領域内で；
前記所定領域の移動のために構成されている、環境照明システム。
【請求項１１】
請求項１乃至９の何れか一項に記載の環境照明システムを有する表示装置。
【請求項１２】
環境照明システムにより照明変化を生成する方法であって、前記環境照明システムは、前記照明変化を表示するように光源を駆動し、前記照明変化は、ビデオ画像から導出された環境光信号を用いて生成され、前記環境光信号は、前記ビデオ画像の所定領域からの色及び／又は強度のピーク値又は平均値を有する、方法であり：
前記ビデオ画像から前記環境光信号を導出するステップ；及び
前記ビデオ画像を表示していない間に、前記照明変化を表示するように前記環境光信号を用いて前記光源を駆動するステップ；
を有する方法。
【請求項１３】
請求項１２に記載の方法であって、前記信号環境光を導出するステップは、一連のビデオ画像から前記環境光信号を導出するステップを有する、方法。
【請求項１４】
請求項１２又は１３に記載の方法であって、前記信号環境光を導出するステップは、前記ビデオ画像において前記所定領域を移動させることにより前記環境光信号を導出するステップを有する、方法。
【請求項１５】
環境照明システムにより照明変化を生成する、環境光信号を分布させるデータネットワークを介するデータサービスを提供する方法であって、前記環境照明システムは前記照明変化を表示するように光源を駆動し、前記照明変化はビデオ画像から導出される環境光信号を用いて生成され、前記環境光信号は、前記ビデオ画像の所定領域から色及び／又は強度のピーク値又は平均値を有する、方法であり：
前記ビデオ画像から前記環境光信号を導出するステップ；及び
前記ビデオ画像を表示していない間に、前記照明変化を表示するように前記光源を駆動する環境照明システムに前記環境光信号を分布させるステップ；
を有する方法。
【発明の詳細な説明】
【技術分野】
【０００１】
本発明は、時間的照明変動を表示するように、光源を駆動する環境照明システムに関する。
【０００２】
本発明は、表示装置、照明変動をもたらす方法及びデータサービスを提供する方法にも関する。
【背景技術】
【０００３】
表示技術における近年の開発により、表示装置に表示された内容を見るとき、視覚体験を改善する環境光照明システムを用いて環境光効果が付加されるようになった。この環境光の効果により、表示装置に現時点で表示されている画像の内容に関連する光により、テレビなどの表示装置の環境が照明される。例えば、環境光効果は、表示装置の一部である環境光システムを用いてもたらされる。照明システムは、画像の内容に関連する光により、表示装置の背後の壁を照明することが可能である。代替として、表示装置は、画像の内容に関連する光を沿革的に生成する遠隔に位置する照明システムに接続されることが可能である。表示装置が画像のシーケンス、例えば、ビデオコンテンツの一部であるビデオフレームのシーケンスを表示するとき、時間経過につれて変化するように、画像のシーケンスに関連する光をもたらす、そのシーケンスで示される画像のコンテンツは一般に、時間の経過につれて変化する。
【０００４】
そのような環境光投影システムは、表示装置と関連して用いられる補助的な視覚的表示システムについて開示されている欧州特許第１５５１１７８号明細書において記載されている。表示装置は、視聴者に画像を提示する。従来の環境光投影システムは、画像表示領域の少なくとも一部の周囲を取り囲むように視聴者にとって視覚的に現れる領域を照明するように、照明光源から放射される照明を少なくとも一部が周囲に投影される１つ又はそれ以上の照明光源を有する。従来の環境光投影システムは、オーディオコンテンツ及び／又はビデオコンテンツをモニタリングするモニタリング構成要素を更に有し、そのオーディオコンテンツ及び／又はビデオコンテンツに応じて１つ又はそれ以上の照明光源から使用時に出射される光放射を制御する制御構成要素を有する。
【０００５】
従来の環境光投影システムの短所は、その使用可能性が限定されていることである。
【先行技術文献】
【特許文献】
【０００６】
【特許文献１】欧州特許第１５５１１７８号明細書
【発明の概要】
【発明が解決しようとする課題】
【０００７】
本発明の目的は、改善された使用可能性を有する環境照明システムを提供することである。
【課題を解決するための手段】
【０００８】
本発明の一特徴に従って、その目的は、照明変化を表示するように光源を駆動する環境照明システムであって、その照明変化はビデオ画像からもたらされる環境光信号を用いて生成され、その環境光信号は、ビデオ画像の所定領域からの色及び／又は強度のピーク値又は平均値を有する、環境照明システムであり、ビデオ画像から環境光信号をもたらす分析器と、ビデオ画像を表示しない間に、照明変化を表示するように環境光信号を用いて光源を駆動するコントローラと、を有する、環境照明システムにより達成される。
【０００９】
本発明に従った手段の効果は、本発明に従った環境照明システムにより表示される照明変化はビデオ画像に基づき、そして例えば、部屋の中に位置している表示装置の画面コンテンツに関連しないことである。本発明に従った環境照明システムは、環境光信号がもたらされるビデオ画像を表示しない間に、表示される照明の変化を提供する。このことは、例えば、前に示されたビデオ画像を介して、しかしながら、ここでは、ビデオ画像が同じ部屋の中にある表示装置に示されていないときに、環境照明システムにより生成された環境を用いることにより環境照明システムの使用可能性を改善する可能性を提供する。本発明に従った環境照明システムを用いることにより、先だって視聴されたビデオ画像と関連する照明変化をユーザがもたらすことが可能である。例えば、表示装置に示された映画が終了したとき、環境照明システムは、その映画に関連する照明変化を表示し続ける一方、表示装置はオフに切り換えられる。その結果、部屋内で映画によりもたらされた環境は、その映画の後も延長される。代替として、本発明に従った環境照明システムは、ユーザの特定の雰囲気をサポートする及び／又は生み出すように用いられることが可能である。環境照明システムは、例えば、リラックスする雰囲気を表す画像から抽出された照明変化を表示することが可能である。従って、環境照明システムは、より容易に及び／又は迅速に、ユーザがリラックスする役割を果たすことが可能である。また、他の異なる環境、例えば、ロマンチックな環境、活動的な環境、ホラー的な環境が、本発明に従った環境照明システムにより示される照明変化によりもたらされることが可能であり、例えば、ユーモラスな環境が、もたらされた環境の各々がビデオ画像又は映画に関連する部屋で、生成されることが可能である。
【００１０】
環境照明システムによりもたらされる照明変化は、例えば、調和して生成される光の色の変化及び／又は強度の変化を有することが可能である。更に、環境光効果の変化は、例えば、時間経過につれて照明される投影面全体に亘って、例えば、色及び／又は強度の空間的変化及び／又は時間的変化を有することが可能である。
【００１１】
従来の環境光投影システムにおいては、環境照明システムにより出射される光の変化は、表示装置に同時に表示されるビデオ画像に密接に関係している。典型的には、従来の環境光投影システムによりもたらされる照明変化はリアルタイムに生成され、それ故、ビデオ画像の視聴体験を向上させるように表示される。従来の環境光投影システムの照明変化は、ユーザの眼精疲労を低減するように表示装置のビデオ画像を幾らか遅れることが可能である。また、照明変化が抽出されるビデオ画像は、従来の環境光投影システムの照明変化と実質的に同時に及び実質的に同期化されて示される。録画された映画は、その録画された映画に関係する時間的照明変化を規定する環境光信号を有することが可能である。しかしながら、この環境光はまた、映画の視聴体験を向上させるように、録画された映画と同期化され、同時に表示されることが可能である。本発明に従った環境照明システムは、ビデオ画像を表示しない間に、照明変化を表示する。本発明に従った環境照明システムは、照明変化を生成するように光源を駆動するように後に用いられる、ビデオ画像からの環境光信号をもたらす分析器を有する。その結果、映画に関連する照明変化を生成することにより環境照明システムによりもたらされる環境は、例えば、映画が終了した後まで延長されることが可能であり、又は、例えば、映画が終了した後に又は別のときに、映画の環境を模倣するように、映画の表示から別個に生成されることが可能である。
【００１２】
現在、Ｐｈｉｌｉｐｓ社は、異なる複数の光の色を表示することが可能である、商品名が“Ｌｉｖｉｎｇｃｏｌｏｒｓ（登録商標）”である光源を公開している。この“Ｌｉｖｉｎｇｃｏｌｏｒｓ（登録商標）”ランプの特定の販売促進バージョンにおいて、そのランプは、連続ループで光源の色を変化させる。本発明に従った環境照明システムがビデオ画像から抽出された環境光信号を用いて照明変化を生成する点で、本発明に従った環境照明システムは、販売促進バージョンの“Ｌｉｖｉｎｇｃｏｌｏｒｓ（登録商標）”ランプとは異なっている。本発明に従った環境照明システムは、画像から環境光信号をもたらすための分析器を有し、照明変化を生成する環境光信号を用いる制御器を有する。特定の販売促進バージョンの“Ｌｉｖｉｎｇｃｏｌｏｒｓ（登録商標）”ランプのみが、そのようなランプの購入を希望するひとが、“Ｌｉｖｉｎｇｃｏｌｏｒｓ（登録商標）”ランプにより生成することが可能である有効な複数の色の広い領域を見ることができるように、“Ｌｉｖｉｎｇｃｏｌｏｒｓ（登録商標）”ランプにより出射される複数の色を変化させる連続ループを有する。
【００１３】
一部の従来の表示装置は、環境照明システムを用いるための２つの別個のモードを有する。第１のモードで、環境照明システムは、表示装置の表示がオフに切り換えられている間に、複数の色のシーケンスを表示する。この第１のモードにおいて、その照明変化は、ビデオ画像により分析器からもたらされる環境信号に基づいていないが、連続ループにおいて環境照明システムに提供される、予め収録された複数の色のシーケンスに基づいている。この第１の動作モードにおいて、従来の表示装置の分析器は待機状態にある。第２の動作モードにおいて、従来の表示装置は、現在表示されているビデオに関連する照明変化を表示し、従って、照明変化は、表示されているビデオと同期化される。この第２の動作モードにおいては、従来の表示装置の分析器は、表示されているビデオから環境光信号を導出する。本発明に従った環境照明システムにおいては、環境照明システムは、ビデオ画像から環境光信号を導出する分析器を有し、光源を駆動する制御器にその導出された環境光信号を供給する。照明変化はビデオ画像に関連するが、ビデオ画像は同時には示されない。従って、分析器は、ビデオ画像が表示されていない間に、ビデオ画像を分析する必要がある。
【００１４】
環境照明システムの実施形態においては、環境照明システムは、ソースからビデオ画像を受信する。そのソースは、記憶媒体又はチューナ、例えば、環境照明システムから遠く離れたウェブカムを有することが可能である。記憶媒体は、例えば、ディジタルビデオカメラであることが可能であり、又は、例えば、不揮発性メモリであることが可能である。
【００１５】
環境照明システムの実施形態においては、環境照明システムは更に、記憶媒体にビデオ画像から導出された環境光信号を記録するレコーダを有する。この実施形態の有利点は、レコーダが後の段階で表示されることが可能である環境光信号のみを記録することである。環境光信号のみを記録することのために、環境光信号がビデオ画像から別個に表示されるとき、記憶容量は、ビデオ画像に関係する環境を尚も提供するように制限されることが可能である。本発明に従った環境照明システムは、環境光信号を記憶するための、例えば、制御器による後の検索のためのメモリモジュールを有することが可能である。
【００１６】
環境照明システムの実施形態においては、分析器は、所定の時間間隔で収集されるビデオ画像から所定領域の一連のピーク値又は一連の平均値を導出する。この実施形態の有利点は、一連のピーク値又は一連の平均値が時間経過につれて環境光信号を生成することである。例えば、レコーダは、映画の気に入った部分の又は映画の全体のピーク値又は平均値を用いて、環境光信号を記録することが可能である。この予め収録された環境光信号は、映画の気に入った一部又は映画の全体に対応する環境を生成する所定の照明変化を後に表示するように用いられることが可能である。
【００１７】
環境照明システムの実施形態においては、分析器は、環境信号を生成するように導出されたピーク値を平均化する、又は、分析器は、環境信号を生成するように、時間経過につれて導出された平均値を平均化する。ビデオ画像から導出される平均値は、ビデオ画像の所定領域に亘って平均化される。本実施形態においては、所定領域に亘って平均化された一連の平均値は時間経過につれて続いて平均化される。この実施形態の有利点は、時間経過につれてのピーク値又は平均値の平均化は、照明における突然の変化を抑制する。時間経過につれた照明の変化を平均化することにより、環境光信号が導出されるビデオ画像又は映画の環境を維持しながら、ユーザの眼精疲労を低減するスムージングされた照明変化が生成される。環境照明が表示されているビデオ画像と同期化されているときの環境照明における突然の変化は、表示されているビデオ画像における明瞭な影響を有する可能性がある。例えば、映画における緊張した又は張り詰めた瞬間が、緊張した又は張り詰めた瞬間を強調するように照明を突然変化させるために、同期化環境照明が必要である。しかしながら、映画の照明とは別個の、映画に基づく環境光信号を表示するときに、突然変化する照明は、映画の全体的な環境に寄与するのではなく、混乱させる可能性がある。そのような突然の変化をフィルタリングして除去することにより、映画の環境は、乱す影響なしに維持される。
【００１８】
環境照明システムの実施形態においては、制御器は、一連のピーク値における一のピーク値から次のピーク値への又は一連の平均値における一の平均値から次の平均値へのスムーズな遷移を生成するための一連のピーク値における複数のピーク値間の又は一連の平均値における複数の平均値間の補間値を生成する。この実施形態の有利点は、一のピーク値から次のピーク値への又は一の平均値から次の平均値への遷移をスムージングすることにより、環境照明システムのユーザの眼締疲労が低減され得る。表示装置に表示されるコンテンツを視聴しているとき、環境光の影響は、視聴環境を殆ど改善して、眼精疲労を低減するように適用されることも可能である。ビデオコンテンツにおける一の画像から他の画像への色の及び／又は強度の変化は比較的大きい可能性がある。表示装置の環境を照明するように環境光システムを用いることは、表示装置に表示される一の画像から他の画像への知覚される大きい色の及び／又は強度の変化を低減し、そのことは眼精疲労を低減する。この効果は、環境光信号が導出されるビデオ画像の雰囲気を維持しながら、一のピーク値から次のピーク値への又は一の平均値から次の平均値への遷移をスムージングし、それ故、眼精疲労を低減するように生成される強度に従って環境照明システムにおいても用いられることが可能である。
【００１９】
更に、複数のピーク値間の又は複数の平均値間の補間は、レコーダにより環境光信号を記憶するために必要なメモリ容重を必要とする。制御器は、例えば、予め記録された環境光信号に基づいて照明変化を表示するときに、複数の値間の中間値を生成する。
【００２０】
代替として、レコーダは、複数のピーク値間の複数の平均値間の遷移をスムージングするように一連のピーク値におけるピーク値間値又は一連の平均値における平均値間値を生成することが可能である。
【００２１】
環境照明システムの実施形態においては、コントローラは、照明変化の表示のために必要な時間を増減するように環境光信号のタイムスケールを適合させる。この実施形態の有利点は、映画の環境を表わす比較的短い環境光信号が、ユーザの体験を更に伸ばすように数時間に亘って伸長されることが可能である。
【００２２】
環境照明システムの実施形態においては、分析器は、一連のビデオ画像から環境光信号を導出する。この実施形態の有利点は、一連の画像の又は短い映画の予め選択された好みのシーンを用いることが可能であることである。例えば、波又は空を有する若しくは朝焼け又は夕焼けを示す好みのシーンを用いることは、環境光信号を導出するように用いられることが可能である。例えば、関連する照明の変化を生成するための夕焼けを示す映画を用いて、この代替の照明変化は、夕焼けを模倣するように部屋内で光のレベルを低下させてユーザが眠りにつくときに、表示されることが可能である。
【００２３】
朝焼け又は夕焼けを示すビデオ画像が、環境光信号を導出するカリブのビーチで夕焼け又は朝焼けを示すウェブカムを介して、代替として提供されることが可能である。
【００２４】
また、森林、雨、花、ディスコ、キャンドルの光等の他の好みのシーンが環境光信号を生成するように用いられることが可能である。
【００２５】
代替として、一連のビデオ画像が所定のアルゴリズムを用いて生成されることが可能である。そのような実施形態においては、ビデオ画像は、一連のビデオ画像において続くビデオ画像を生成するように所定のアルゴリズムを用いて、分布が変化する特定の色の分布を有することが可能である。
【００２６】
環境照明システムの実施形態においては、分析器は、複数の画像に亘って所定領域を移動することにより環境光信号を導出する。そのような実施形態においては、ピデオ画像は、例えば、特定の色の範囲を有する静止画像である。その特定の色の範囲は、あるユーザの特定の雰囲気を表わすように選択されることが可能である、又は、その特定の色の範囲は、ユーザのその特定の雰囲気を表わす副領域を有することが可能である。この実施形態の有利点は、ビデオ画像において移動する特定の領域を有することにより、照明変化は、映像画像における複数の色の範囲に従って連続的に変化し得る。ユーザは、例えば、彼がロマンチックな雰囲気にある雰囲気を示すことが可能であり、又は、例えば、好みのビデオ画像を選択することが可能である。本発明に従った環境照明システムは続いて、ビデオ画像において所定領域を移動することにより、選択されたビデオ画像から導出された環境光信号を生成する。その所定領域の移動は、環境照明システムが照明変化を表示する前に、実行されることが可能であり、その所定領域の移動は、表示装題において可視的な選択されたビデオ画像なしで、制御器において実行されることが可能である。
【００２７】
環境照明システムの実施形態においては、分析器は、ビデオ画像内のユーザにより規定される経路に沿って所定領域を移動する。この実施形態の有利点は、照明変化を生成するように所定領域を移動するように用いられる経路又はループを規定することが可能であることである。そのような実施形態において、ユーザは照明変化を十分に制御することができる。環境照明システムの実施形態においては、分析器は、ビデオ画像内の所定の経路に沿って所定領域を移動する。ビデオ画像内の所定経路は、環境照明システムの小売店により予め規定されることが可能であり、例えば、環境照明システムのメモリモジュールに記憶されることが可能である。所定の経路を呼び出すことにより、ユーザは、照明変化を楽しむことが可能である。環境照明システムの実施形態において、分折器は、ビデオ画像内のランダムな経路に沿って所定領域を移動する。この実施形態の有利点は、照明変化は、環境照明システムが特定のビデオ画像と共に用いられる全てのときに変化が異なるように、照明変化はユーザにとって同じ体験を決して与えないことである。環境照明システムの実施形態においては、分析器は、ビデオ画像の所定の副領域内の所定領域を移動する。この実施形態の有利点は、単独のビデオ画像が、例えば、特定の雰囲気と関連する異なる複数の色を有する、異なる複数の副領域を有することが可能であることである。ユーザは、その場合、彼の現時点の雰囲気に対応する所定の副領域内に対して所定領域の移動を制限することが可能である。
【００２８】
環境照明システムの実施形態においては、レコーダは、
−全ての色について８画素乃至３２画素間で用いるピーク値又は平均値を記憶し、及び／又は
−少なくとも３つの原色の寄与を規定することにより記憶されるようになっているピーク値又は平均値の色を規定し、及び／又は
−１秒当たり１乃至６０間のピーク値又は平均値をサンプリングすることにより環境光信号を記録する。
【００２９】
この実施形態の有利点は、環境光信号を記憶するために必要なメモリモジュールの容量が制限され得ることである。
【００３０】
本発明の第２特徴に従って、目標は、請求項１１に記載の表示装置により達成される。本発明の第３特徴に従って、目標は、請求項１２、１３及び１４に記載の照明変化を生成する方法により達成される。本発明の第４特徴に従って、目標は、請求項１５に記載のデータネットワークを介してデータサービスを提供する方法によりにより達成される。
【００３１】
添付図は模式図であり、スケーリングして描かれていない。特に明確化のために、一部の寸法はかなり拡大されている。複数の図における同じ構成要素は、できるだけ同じ参照番号で表わされている。
【図面の簡単な説明】
【００３２】
【図１】本発明に従った環境照明システムの模式図である。
【図２Ａ】環境光信号を導出する複数の所定領域を有する表示装置を示す図である。
【図２Ｂ】環境光信号を導出する画像内で移動する単独の所定領域を有する表示装直を示す図である。
【図３】部屋中に分布された複数の光源を有する環境照明システムを示す図である。
【発明を実施するための形態】
【００３３】
図１は、本発明に従った環境照明システムの模式図である。環境照明システム１００は、制御器１０及び分析器２０を有する。分析器２０は、ビデオ画像Ｉ１、Ｉ２から環境光信号Ａｖ，Ａｔ（Ａｖ１，１，．．．Ａｖ４，５），Ｐ，（Ｐ１，１，．．．Ｐ４，５）を導出する（図２Ａ及び２Ｂを参照されたい）。ビデオ画像Ｉ１は、例えば、映画を又は映画の一部を構成する一連のビデオ画像Ｉ１を有することが可能である。ビデオ画像Ｉ１が映画（の一部）であるとき、環境光信号Ａｖ，Ａｔ（Ａｖ１，１，．．．Ａｖ４，５），Ｐ，（Ｐ１，１，．．．Ｐ４，５）は一般に、ビデオ画像Ｉ１の複数の所定位置に分布された複数の所定領域Ａ，（Ａｖ１，１，．．．Ａｖ４，５）から導出され、それから、所定領域Ａ，（Ａｖ１，１，．．．Ａｖ４，５）の各々についてのピーク値Ｐ，（Ｐ１，１，．．．Ｐ４，５）が決定される、又はそれから、所定領域Ａ，（Ａｖ１，１，．．．Ａｖ４，５）の各々についての平均値Ａｖ，Ａｔ（Ａｖ１，１，．．．Ａｖ４，５）が決定される。ピーク値Ｐ，（Ｐ１，１，．．．Ｐ４，５）は一般に、例えば、３つの原色Ｒ，Ｇ，Ｂの各々について、所定領域Ａ，（Ａｖ１，１，．．．Ａｖ４，５）内の画像Ｉ１の複数の照明レベルの最大強度値を表す。平均値Ａｖ，（Ａｖ１，１，．．．Ａｖ４，５）は、例えば、３つの原色Ｒ，Ｇ，Ｂの各々について、所定領域Ａ，（Ａｖ１，１，．．．Ａｖ４，５）の照明レベルの平均強度を表わす。環境光信号Ａｖ，Ａｔ（Ａｖ１，１，．．．Ａｖ４，５），Ｐ，（Ｐ１，１，．．．Ｐ４，５）は、所定領域Ａ，（Ａｖ１，１，．．．Ａｖ４，５）から決定されたピーク値Ｐ，（Ｐ１，１，．．．Ｐ４，５）又は平均値Ａｖ，（Ａｖ１，１，．．．Ａｖ４，５）であることが可能である。代替として、環境光信号Ａｖ，Ａｔ（Ａｖ１，１，．．．Ａｖ４，５），Ｐ，（Ｐ１，１，．．．Ｐ４，５）は、検知されたピーク値Ｐ，（Ｐ１，１，．．．Ｐ４，５）を時間平均することにより生成された又は検知された平均値Ａｖ，（Ａｖ１，１，．．．Ａｖ４，５）を時間平均することにより生成された時間平均化環騎光信号Ａｔであることが可能である。
【００３４】
一連のビデオ画像Ｉ１、Ｉ２又は短い映画Ｉ１、Ｉ２の予め選択された好みのシーンであることが可能である一連のビデオ画像Ｉ１、Ｉ２が用いられることが可能である。例えば、波又は空を有する若しくは朝焼け又は夕焼けを示す好みのシーンＩ１、Ｉ２を用いることが、環境光信号Ａｖ，Ａｔ（Ａｖ１，１，．．．Ａｖ４，５），Ｐ，（Ｐ１，１，．．．Ｐ４，５）を導出するように用いられることが可能である。例えば、関連照明変化を生成するための朝焼けを示す映画Ｉ１、Ｉ２を用いて、この関連照明変化は、朝焼けを模倣するように部屋内の光レベルを徐々に増加させてユーザが目覚めなければならないときに、表示されることが可能である。
【００３５】
代替として、例えば、代替の照明変化を生成する夕焼けを示す映画Ｉ１、Ｉ２を用いて、この代替の照明変化は、夕焼けを模倣するように部屋内の照明レベルを低下させてユーザが眠りにつくときに、表示されることが可能である。また、例えば、森林、雨、花、ディスコ又はろうそくの光等の他の好みのシーンＩ１、Ｉ２が、環境光信号Ａｖ，Ａｔ（Ａｖ１，１，．．．Ａｖ４，５），Ｐ，（Ｐ１，１，．．．Ｐ４，５）を生成するように用いられることが可能である。代替として、一連のビデオ画像Ｉ１、Ｉ２は、所定のアルゴリズムを用いて生成されることが可能である。そのような実施形態において、ビデオ画像Ｉ１、Ｉ２は、一連のビデオ画像Ｉ１、Ｉ２において後続のビデオ画像Ｉ１、Ｉ２を生成するように所定のアルゴリズムを用いて分配が変化される特定の色の分配を有することが可能である。
【００３６】
代替として、ビデオ画像Ｉ２は、環境光信号Ａｖ，Ａｔ（Ａｖ１，１，．．．Ａｖ４，５），Ｐ，（Ｐ１，１，．．．Ｐ４，５）が導出された静止画像Ｉ１、Ｉ２又は静止画像Ｉ１、Ｉ２の一部であることが可能である。この静止画像Ｉ１、Ｉ２は、例えば、静止画像Ｉ１、Ｉ２において所定の色の変化を有することが可能である。照明変化は、例えば、照明変化を表示するように、光源Ｌ１，Ｌ２，．．．，Ｌ８を駆動する制御器１０により用いられる、一連のビーク値Ｐ，（Ｐ１，１，．．．Ｐ４，５）対時間を生成する、又は一連の平均値Ａｖ，（Ａｖ１，１，．．．Ａｖ４，５）対時間を生成する静止画像Ｉ１、Ｉ２における所定領域Ａを移動させることにより生成されることが可能である。移動する所定領域Ａは、例えば、経路ｐに沿って移動することが可能である（図２Ｂを参照されたい）。この経路ｐは、例えば、経路を規定するビデオ画像Ｉ１、Ｉ２を介しでカーソルを移動させることにより規定されることが可能である。代替として、経路ｐは、環境照明システム１００が販売される小売店又は工場により規定される所定経路ｐであることが可能である。更に、代替として、経路ｐは、経験された照明変化が照明の予測可能な連続的なルーピング変化をもたらすことを抑制する、ビデオ画像Ｉ１、Ｉ２内のランダム経路ｐであることが可能である。更に、経路ｐは、ビデオ画像Ｉ１、Ｉ２の副領域Ｉｓ１、Ｉｓ２に限定されることが可能である。そのような実施形態においては、副領域Ｉｓ１、Ｉｓ２は、例えば、ユーザの特定の雰囲気に関連する特定の色の領域を表わす。このユーザにより規定される経路ｐは後続して、照明変化を生成するように、環境光信号Ａｖ，Ａｔ（Ａｖ１，１，．．．Ａｖ４，５），Ｐ，（Ｐ１，１，．．．Ｐ４，５）を導出するように用いられることが可能である。そのような経路ｐを用いるとき、環境照明システム孔００により生成される光の平均強度、又は経路ｐに沿ったビデオ画像Ｉ１、Ｉ２を介して移動する所定領域Ａの速度の規定、又は照明変化を表示することによりもたらされることが可能である眼精疲労の直を制限するように経路ｐに沿って所定領域Ａを移動させるときに、環境照明システム１００により可能になる色変化の最大強度を決定するような制御手段（図示せず）がユーザに提供されることが可能である。この付加的制御は、リモート制御（図示せず）を介して、若しくはシステム又は装置とのユーザインタラクションの何れかの他の従来の手段を介して提供されることが可能である。
【００３７】
ビデオ画像Ｉ１、Ｉ２は、ソース４０、５０、４２０から受信されることが可能である。
ソース４０、５０、４２０は、例えば、記憶媒体４０又はチューナ５０であることが可能である。代替として、ソース４０、５０、４２０は、例えば、ビデオ画像Ｉ１、Ｉ２を表示していない間に、照明変化を生成するためにビデオ画像Ｉ１、Ｉ２が後続して用いられるカリブ海における夕焼けのあるシーン又はビデオ画像Ｉ１、Ｉ２を示すウェブカム４２０（図４を参照されたい）であることが可能である。
【００３８】
分析器２０は、制御器１０へのビデオ画像Ｉ１、Ｉ２に基づいて平均値Ａｖ，（Ａｖ１，１，．．．Ａｖ４，５）又はピーク値Ｐ，（Ｐ１，１，．．．Ｐ４，５）であることが可能である。制御器１０は後続して、環境光信号Ａｖ，Ａｔ（Ａｖ１，１，．．．Ａｖ４，５），Ｐ，（Ｐ１，１，．．．Ｐ４，５）に基づいて照明変化を表示するように光源Ｌ１，Ｌ２，．．．，Ｌ８を駆動する。
【００３９】
環境照明システム１００は、予め記録された環境光信号を生成する記憶媒体４０にビデオ画像Ｉ１、Ｉ２から導出される環境光信号Ａｖ，Ａｔ（Ａｖ１，１，．．．Ａｖ４，５），Ｐ，（Ｐ１，１，．．．Ｐ４，５）を記録するレコーダ３０を更に有することが可能である。この予め記録された環境光信号は、環境光信号Ａｖ，Ａｔ（Ａｖ１，１，．．．Ａｖ４，５），Ｐ，（Ｐ１，１，．．．Ｐ４，５）が導出されたビデオ画像Ｉ１、Ｉ２に関連する照明変化を生成するために用いられることが可能である。環境光信号Ａｖ，Ａｔ（Ａｖ１，１，．．．Ａｖ４，５），Ｐ，（Ｐ１，１，．．．Ｐ４，５）のみを記憶することは、記憶媒体４０の容愛が制限されたままであることが可能である間に、ビデオ画像Ｉ１、Ｉ２に関連する環境を生成する環境照明システム１００の使用を可能にする．レコーダ３０は、全ての色について８画素乃至３２画素間で用いる平均値Ａｖ，（Ａｖ１，１，．．．Ａｖ４，５）又はピーク値Ｐ，（Ｐ１，１，．．．Ｐ４，５）を記憶することにより受信された環境光信号Ａｖ，Ａｔ（Ａｖ１，１，．．．Ａｖ４，５），Ｐ，（Ｐ１，１，．．．Ｐ４，５）を記録することが可能である。レコーダ３０は、少なくとも三原色の寄与を規定することにより記憶されるようになっている平均値Ａｖ，（Ａｖ１，１，．．．Ａｖ４，５）又はピーク値Ｐ，（Ｐ１，１，．．．Ｐ４，５）の色を規定することが可能である。更に、レコーダ３０は、１秒当たり１乃至６０の間のレートでピーク値Ｐ，（Ｐ１，１，．．．Ｐ４，５）又は平均値Ａｖ，（Ａｖ１，１，．．．Ａｖ４，５）をサンプリングすることが可能である。この実施形態の有利点は、環境光信号Ａｖ，Ａｔ（Ａｖ１，１，．．．Ａｖ４，５），Ｐ，（Ｐ１，１，．．．Ｐ４，５）を記憶するために必要な記憶媒体４０の容量が制限されることが可能であることである。
【００４０】
図２Ａは、環境光信号Ａｖ，Ａｔ（Ａｖ１，１，．．．Ａｖ４，５），Ｐ，（Ｐ１，１，．．．Ｐ４，５）が導出された複数の所定領域を有する表示装置２００を示す図である。表示装置２００は、ビデオ画像Ｉ１、Ｉ２を表示していない間に、ビデオ画像Ｉ１、Ｉ２に関連する照明変化を生成するように本発明に従って環境照明システム１００を有する。その照明変化は、光源Ｌ１，Ｌ２，．．．，Ｌ８を駆動する制御器に環境光信号Ａｖ，Ａｔ（Ａｖ１，１，．．．Ａｖ４，５），Ｐ，（Ｐ１，１，．．．Ｐ４，５）を導出することにより示される。環境照明システムを有する従来の表示装置においては、従来の表示装置は、２つの別個のモードにおいて動作されることが可能であり、一のモードにおいて、光源により生成される照明変化は、従来の表示装置に表示されるビデオ画像Ｉ１、Ｉ２と同期化される、又は他のモードにおいて、照明変化は、ビデオ画像Ｉ１、Ｉ２に関連せず、光源により表示されるようになっている所定の一連の色のみを有する。本発明の表示装置２００においては、環境照明システム１００は、ビデオ画像Ｉ１、Ｉ２から環境光信号Ａｖ，Ａｔ（Ａｖ１，１，．．．Ａｖ４，５），Ｐ，（Ｐ１，１，．．．Ｐ４，５）を導出する分析器２０を有し、環境照明システム１００は更に、ビデオ画像Ｉ１、Ｉ２を表示していない間に、環境光信号Ａｖ，Ａｔ（Ａｖ１，１，．．．Ａｖ４，５），Ｐ，（Ｐ１，１，．．．Ｐ４，５）に基づいて照明変化を表示する。これは、本発明に従った環境照明システム１００の使用可能性を改善する。
【００４１】
図２Ｂは、環境光信号Ａｖ，Ａｔ（Ａｖ１，１，．．．Ａｖ４，５），Ｐ，（Ｐ１，１，．．．Ｐ４，５）を導出するビデオ画像Ｉ１、Ｉ２内で移動する単独の所定領域Ａを有する表示装置２００を示している。図２Ｂに示す実施形態において、所定領域Ａは、経路ｐに沿ってビデオ画像Ｉ１、Ｉ２を介して移動する．経路ｐは、ユーザにより規定された経路ｐ又はランダム経路ｐであることが可能であり、経路ｐは、例えば、副領域Ｉｓ１、Ｉｓ２がユーザの特定の雰囲気に関連する特定の色の範囲を表わすビデオ画像Ｉ２の副領域Ｉｓ１、Ｉｓ２内に制限されることも可能である。
【００４２】
図２Ｂに示す単独の所定領域Ａは、その位置が環境光信号Ａｖ，Ａｔ（Ａｖ１，１，．．．Ａｖ４，５），Ｐ，（Ｐ１，１，．．．Ｐ４，５）が分析器２０により導出される所定領域Ａ内の複数の更なる所定領域（図示せず）を更に有する。
【００４３】
ビデオ画像Ｉ２を介して移動する所定領域Ａを用いての環境光信号Ａｖ，Ａｔ（Ａｖ１，１，．．．Ａｖ４，５），Ｐ，（Ｐ１，１，．．．Ｐ４，５）の導出は、ビデオ画像Ｉ２が導出された環境光信号Ａｖ，Ａｔ（Ａｖ１，１，．．．Ａｖ４，５），Ｐ，（Ｐ１，１，．．．Ｐ４，５）からもたらされる照明変化と実質的に同期して表示されるときにも、適用されることが可能である。そのような実施形態においては、ビデオ画像Ｉ２は、ピデオ画像Ｉ２を所定領域Ａの示されている移動から環境光信号Ａｖ，Ａｔ（Ａｖ１，１，．．．Ａｖ４，５），Ｐ，（Ｐ１，１，．．．Ｐ４，５）のリアルタイムの導出と、導出された環境光信号Ａｖ，Ａｔ（Ａｖ１，１，．．．Ａｖ４，５），Ｐ，（Ｐ１，１，．．．Ｐ４，５）に基づく照明変化の実質的にリアルタイムの表示と、をもたらすビデオ画像Ｉ２の表示と実質的に同期化される。
【００４４】
図３は、部屋３００全体に亘って分布された複数の光源Ｌ１，Ｌ２，．．．，Ｌ８を有する環境照明システム１００を示している。照明システム１００は、分析器２０からの環境光信号Ａｖ，Ａｔ（Ａｖ１，１，．．．Ａｖ４，５），Ｐ，（Ｐ１，１，．．．Ｐ４，５）に基づく照明変化を表示するように複数の光源Ｌ１，Ｌ２，．．．，Ｌ８を駆動する制御器を有する。図３に示す実施形態において、部屋は、例えば、表示装置２１０の周囲を照明する照明Ｌ１、Ｌ２、Ｌ３、Ｌ４の副集合を有する表示装置２１０を有する。この光源Ｌ１、Ｌ２、Ｌ３、Ｌ４の副集合は、環境光信号Ａｖ，Ａｔ（Ａｖ１，１，．．．Ａｖ４，５），Ｐ，（Ｐ１，１，．．．Ｐ４，５）と関連する照明変化の一部を表示する制御器により駆動される。図３に示す実施形態は、部屋中に分布され、環境光信号Ａｖ，Ａｔ（Ａｖ１，１，．．．Ａｖ４，５），Ｐ，（Ｐ１，１，．．．Ｐ４，５）に基づく照明変化の一部を分布させる環境照明システムの制御器１０によっても制御される照明Ｌ５、Ｌ６、Ｌ７、Ｌ８の第２集合を更に有する。光源Ｌ１、Ｌ２、Ｌ３、Ｌ４の副集合及び光源Ｌ１、Ｌ２、Ｌ３、Ｌ４の副集合の組み合わせは、表示装置２１０の直接的な周囲が環境光信号Ａｖ，Ａｔ（Ａｖ１，１，．．．Ａｖ４，５），Ｐ，（Ｐ１，１，．．．Ｐ４，５）を用いて照明されるばかりでなく、実質的に部屋３００全体が、分析器２０により導出される環境光信号Ａｖ，Ａｔ（Ａｖ１，１，．．．Ａｖ４，５），Ｐ，（Ｐ１，１，．．．Ｐ４，５）を用いて照明される、環境照明システム１００を生成している。
【００４５】
図４は、環境光信号Ａｖ，Ａｔ（Ａｖ１，１，．．．Ａｖ４，５），Ｐ，（Ｐ１，１，．．．Ｐ４，５）についてのサーバ４１０を有する分配ネットワーク４００を示している。分配ネットワーク４００は、環境光信号Ａｖ，Ａｔ（Ａｖ１，１，．．．Ａｖ４，５），Ｐ，（Ｐ１，１，．．．Ｐ４，５）を導出する分析器２０にビデオ画像Ｉ１、Ｉ２を提供する複数のソース４０、５０、４２０を有する。分析器２０は、サーバ４１０において図４に示す実施形態に位遣付けられている。代替として（図示しないが）、複数のソース４０、５０、４２０が、それらのソース４０、５０、４２０のビデオ画像Ｉ１、Ｉ２から環境光信号Ａｖ，Ａｔ（Ａｖ１，１，．．．Ａｖ４，５），Ｐ，（Ｐ１，１，．．．Ｐ４，５）を導出する分析器２０を有することが可能である。サーバ４１０は、例えば、ビデオ画像Ｉ１、Ｉ２を表示しない間に、光源Ｌ１，Ｌ２，．．．，Ｌ８（図１及び２を参照されたい）を導出する制御器１０に分布ネットワーク４００を介して環境光信号Ａｖ，Ａｔ（Ａｖ１，１，．．．Ａｖ４，５），Ｐ，（Ｐ１，１，．．．Ｐ４，５）を分布させる。ソース４０、５０、４２０は、記憶媒体４０又はチューナ５０、若しくは、例えぼ、環境光信号Ａｖ，Ａｔ（Ａｖ１，１，．．．Ａｖ４，５），Ｐ，（Ｐ１，１，．．．Ｐ４，５）が導出されるビデオ画像Ｉ１、Ｉ２を制御するためのある遠隔の場所に位置付けられたウェブカム４２０であることが可能である。
【００４６】
上記の実施形態は本発明を制限するのではなく、当業者が、同時提出の特許請求の範囲から逸脱することなく多くの代替の実施形態をデザインすることができることに留意する必要がある。
【００４７】
例えば、上記の実施形態に示している環境光投影システムは表示装置に取り付けられる。しかしながら、環境光投影システムはまた、例えば、表示装置の背後の壁に備えられた表示装置とは別個に備えられることが可能であり、更に、投影される光の色及ぴ／強度が表示装置のビデオ及び／又はオーディオコンテンツにより変調されるランプ又は内部装飾要素のような部屋内のどこかに位置付けられることが可能である。
【００４８】
“を有する”又はその用語の派生語は、請求項に記載されているそれら以外の要素又はステップの存在を排除するものではない。要素の単数表現は複数のそのような要素の存在を排除するものではない。本発明は、複数の別個の要素を有するハードウェアにより、及び適切にプログラムされたコンピュータにより実施されることが可能である。複数の手段を挙げている装置請求項においては、それらの手段の幾つかは、同一のハードウェアが組み込まれることが可能である。特定の手段が互いに異なる従属請求項に記載されているということのみで、それらの手段の組み合わせが有利に用いられることができないことを意味しない。
【図１】
2011522388.tif 000003
【図２Ａ】
2011522388.tif 000004
【図２Ｂ】
2011522388.tif 000005
【図３】
2011522388.tif 000006
【図４】
2011522388.tif 000007
【国際調査報告】
2011522388.tif 000008
2011522388.tif 000009